(57)【要約】【課題】既存のカメラに簡単な方法で取り付け可能な投影装置を提供する。【解決手段】撮影レンズ３及びこの撮影レンズ３の被写界を観察可能なファインダー光学系８を有する撮像装置（カメラ本体２）の取付部４０に取り付けられ、ファインダー光学系８及び撮影レンズ３を介して画像を投影する投影装置５０は、取付部４０に接続される接続部５１ａと、画像をファインダー光学系８の結像面に投影するプロジェクタ部６０と、プロジェクタ部６０の作動を制御する投影側ＣＰＵ５４と、取付部４０に接続部５１ａが接続されたときに、ファインダー光学系８の光軸にプロジェクタ部６０の光軸を略一致させる調整機構（第１及び第２の連結部５７，５８）と、を有する【選択図】図１
2012208328.tif 000002
【特許請求の範囲】
【請求項１】
撮影レンズ及びこの撮影レンズの被写界を観察可能なファインダー光学系を有する撮像装置の取付部に取り付けられ、前記ファインダー光学系及び前記撮影レンズを介して画像を投影する投影装置であって、
前記取付部に接続される接続部と、
前記画像を前記ファインダー光学系の結像面に投影するプロジェクタ部と、
前記プロジェクタ部の作動を制御する投影側ＣＰＵと、
前記取付部に前記接続部が接続されたときに、前記ファインダー光学系の光軸に前記プロジェクタ部の光軸を略一致させる調整機構と、を有することを特徴とする投影装置。
【請求項２】
前記取付部に接続された前記接続部を介して前記撮像装置と情報の送受信を行う通信部を有することを特徴とする請求項１に記載の投影装置。
【請求項３】
前記投影側ＣＰＵは、前記プロジェクタ部により前記画像を投影するときに、前記撮影レンズの絞りを開放させるように構成されることを特徴とする請求項２に記載の投影装置。
【請求項４】
前記投影側ＣＰＵは、前記撮像装置から前記撮像レンズの被写界の輝度分布を取得し、前記プロジェクタ部の光量を調整するように構成されることを特徴とする請求項２または３に記載の投影装置。
【請求項５】
前記投影側ＣＰＵは、前記撮像装置の画像記録媒体から画像ファイルを読み出して、前記プロジェクタ部で投影するように構成されることを特徴とする請求項２〜３のいずれか一項に記載の投影装置。
【請求項６】
前記投影側ＣＰＵは、前記画像ファイルの属性情報に基づいて、前記プロジェクタ部の光量を調整するように構成されることを特徴とする請求項５に記載の投影装置。
【発明の詳細な説明】
【技術分野】
【０００１】
本発明は、投影装置に関する。
【背景技術】
【０００２】
デジタルカメラには、背面モニタが設けられているものがあり、撮影した画像をこの背面モニタに表示することで、簡単に確認することができる。しかし、このような背面モニタは撮影者が確認するためには十分な大きさではあるが、複数人数で確認する際には小さくて見づらい。そのため、投影装置を内蔵したデジタルカメラが知られている（例えば、特許文献１参照）。
【先行技術文献】
【特許文献】
【０００３】
【特許文献１】特開２００５−２０５３９２号公報
【発明の概要】
【発明が解決しようとする課題】
【０００４】
しかしながら、撮像装置を内蔵していないデジタルカメラでは、撮影した画像を投影するために、外付けの投影装置を接続する必要があり、接続が手間であったり、デジタルカメラとは別に、投影機能を有する投影装置を持ち運びしなければならないという課題があった。
【０００５】
本発明はこのような課題に鑑みてなされたものであり、既存のカメラに簡単な方法で取り付け可能な投影装置を提供することを目的とする。
【課題を解決するための手段】
【０００６】
前記課題を解決するために、本発明に係る投影装置は、撮影レンズ及びこの撮影レンズの被写界を観察可能なファインダー光学系を有する撮像装置の取付部に取り付けられ、ファインダー光学系及び撮影レンズを介して画像を投影する投影装置であって、取付部に接続される接続部と、画像をファインダー光学系の結像面に投影するプロジェクタ部と、プロジェクタ部の作動を制御する投影側ＣＰＵと、取付部に接続部が接続されたときに、ファインダー光学系の光軸にプロジェクタ部の光軸を略一致させる調整機構と、を有することを特徴とする。
【０００７】
このような投影装置は、取付部に接続された接続部を介して撮像装置と情報の送受信を行う通信部を有することが好ましい。
【０００８】
また、このような投影装置において、投影側ＣＰＵは、プロジェクタ部により画像を投影するときに、撮影レンズの絞りを開放させるように構成されることが好ましい。
【０００９】
また、このような投影装置において、投影側ＣＰＵは、撮像装置から撮像レンズの被写界の輝度分布を取得し、プロジェクタ部の光量を調整するように構成されることが好ましい。
【００１０】
また、このような投影装置において、投影側ＣＰＵは、撮像装置の画像記録媒体から画像ファイルを読み出して、プロジェクタ部で投影するように構成されることが好ましい。
【００１１】
また、このような投影装置において、投影側ＣＰＵは、画像ファイルの属性情報に基づいて、プロジェクタ部の光量を調整するように構成されることが好ましい。
【発明の効果】
【００１２】
本発明を以上のように構成すると、既存のカメラに簡単な方法で取り付け可能な投影装置を提供することができる。
【図面の簡単な説明】
【００１３】
【図１】投影装置が取り付けられたカメラシステムの構成を示す説明図である。
【図２】カメラシステムの機能構成を示すブロック図である。
【発明を実施するための形態】
【００１４】
以下、本発明の好ましい実施形態について図面を参照して説明する。まず、図１及び図２を用いて、本実施形態に係る投影装置及びこの投影装置が取り付けられる撮像装置の一例であるカメラシステム１の構成について説明する。図１に示すように、カメラシステム１は、カメラ本体２と交換可能な撮影レンズ３とを組み合わせ、撮像部である撮像素子９で撮影を行う撮像装置として機能する、レンズ交換式一眼レフカメラである。
【００１５】
撮影レンズ３は、フォーカスレンズ、ズームレンズおよび防振レンズを含むレンズ群４、絞り５、カメラシステム１の振れを検出する角速度センサ６、レンズ群４を駆動する不図示の駆動装置等を備える。角速度センサ６は、少なくとも光軸に直交する２軸周りの角速度を検出する。駆動装置は、例えば振動波モータ、ＶＣＭにより構成される複数のモータを有し、フォーカスレンズを光軸方向に駆動し、防振レンズを光軸方向とは異なる方向に駆動する。また、撮影レンズ３は、この撮影レンズ３の全体を制御すると共に、カメラ本体２と協働するレンズＣＰＵ７を有する。
【００１６】
カメラ本体２は、撮影レンズ３からの光束を反射してファインダー光学系８に導く反射位置と、撮影レンズ３からの光束がＣＣＤまたはＣＭＯＳなどから構成される撮像素子９に入射するように退避する退避位置とで揺動するメインミラー１０を備える。このメインミラー１０の一部の領域は半透過領域となっており、カメラ本体２は、この半透過領域を透過した光束を焦点検出センサ１１へ反射するサブミラー１２を備える。このサブミラー１２は、メインミラー１０に連動して揺動し、メインミラー１０が退避位置をとるときには、サブミラー１２も光束から退避する。なお、焦点検出センサ１１は、位相差方式により入射する光束の焦点状態を検出する。
【００１７】
反射位置にあるメインミラー１０で反射された光束は、焦点板１３、ペンタプリズム１４を介してファインダー光学系８へ導かれる。このファインダー光学系８は、複数のレンズから構成されており、ユーザはファインダー光学系８により被写界を確認することができる。
【００１８】
また、ペンタプリズム１４を透過する光束の一部は測光センサ１５に導かれる。測光センサ１５は、撮影レンズ３へ入射する光束を複数の領域ごとに測光することにより、被写界の輝度分布を計測する。
【００１９】
メインミラー１０が退避位置にあるときには、撮影レンズ３からの光束は、ローパスフィルター１９を介して撮像素子９に入射する。撮像素子９の近傍には撮像基板２０が設けられており、撮像基板２０の後方には外部に面して背面モニタ２１が設けられている。また、カメラ本体２は、撮影レンズ３のマウント部近傍で撮影レンズ３と干渉しない位置に、被写界の音を取り込むマイク１７と、ファインダー光学系８の近傍にビープ音などを発するスピーカ１８を備える。
【００２０】
カメラ本体２の上部には、閃光装置等の外部機器を取り付けるための取付部４０が設けられいる。この取付部４０は、アクセサリーシュー（もしくはホットシュー）と呼ばれ、取り付けられた閃光装置に電力を供給するとともに、閃光タイミングの信号を、このカメラ本体２から閃光装置に送信するように構成されている。本実施形態においては、この取付部４０に投影装置５０が取り付けられるように構成されている。
【００２１】
投影装置５０は、カメラ本体２の取付部４０に、この投影装置５０を接続するための接続部５１ａが設けられた第１筐体５１と、この第１筐体５１から後方に伸びる第２筐体５２と、第２筐体５２から下方に伸びる第３筐体５３と、から構成される。なお、第１筐体５１と第２筐体５２との間は前後方向に延び縮みする第１連結部５７で接続され、第２筐体５２と第３筐体５３とは、上下方向に延び縮みする第２連結部５８で接続されている。
【００２２】
第１及び第２連結部５７，５８は、例えば、複数の筒状部材を入れ子式に組み合わせて伸縮するように構成しても良いし、一方の筐体にボルトを固定し、他方に筐体にナットを固定して、このナットをボルトに対して螺合することにより、伸縮させるように構成することも可能である。また、この第１及び第２連結部５７，５８にラチェット機構を用いて、伸縮した位置で連結する筐体を固定するように構成することも可能である。
【００２３】
また、この投影装置５０には、光源６１と、この光源６１からの光を略平行光束に変換する集光レンズ６２と、集光レンズ６２から出射した光を透過して液晶デバイス（ＬＣＯＳ等）やＤＭＤ等のライトバルブ６４に導くとともに、このライトバルブ６４で反射した光を反射する偏光分離面６３ａが形成された偏光ビームスプリッタ６３と、偏光ビームスプリッタ６３で反射した光を集光してライトバルブ６４の像を結像する投影レンズ６５と、投影レンズ６５からの光を反射して、カメラ本体２のファインダー光学系８に導くミラー６６と、からなるプロジェクタ部６０が配置されている。このプロジェクタ部６０は、本実施形態においては、第２筐体５２及び第３筐体５３に配置されている。また、この投影装置５０の第１筐体５１には、カメラ本体２に設けられた通信部３１と通信をするための投影側通信部５５、及び、この投影側通信部５５を介してカメラ本体ＣＰＵ２７と通信をするとともに、光源６１やライトバルブ６４の制御を行う投影側ＣＰＵ５４が設けられている。また、第３筐体５３の背面部には、この投影装置５０を操作するための表示装置やスイッチからなる入出力部５９が設けられている。
【００２４】
この投影装置５０は、カメラ本体２の取付部４０に接続部５１ａが接続されたときに、プロジェクタ部６０の光軸とファインダー光学系８の光軸とが略同一直線上に一致するとともに、ファインダー光学系８の結像面と投影レンズ６５によるライトバルブ６４の結像面とが略一致するように構成されている。なお、ミラー６６で反射した光がファインダー光学系８に入射するように、第３筐体５３の前面部には、窓５３ａが形成されている。また、ファインダー光学系８及びプロジェクタ部６０の光軸を一致させるために、第１接続部５７及び第２接続部５８からなる調整機構を伸縮させて調整を行うように構成されている。
【００２５】
このような投影装置５０において、光源６１から放射された照明光は、集光レンズ６２で集光されて略平行光に変換された後、偏光ビームスプリッタ６３に入射する。そして、この偏光ビームスプリッタ６３に入射した光のうち、Ｓ偏光成分の光は偏光分離面６３ａで反射してこの偏光ビームスプリッタ６３から外部に放射され、Ｐ偏光成分の光は偏光分離面６３ａを透過してライトバルブ６４に照射される。
【００２６】
本実施形態に係るライトバルブ６４を、シリコン基板とガラス基板との間に液晶を介在させた液晶パネル（ＬＣＯＳ）であるとして説明する。このライトバルブ６４のシリコン基板上にはＴＦＴ等のスイッチング素子や電極が画素の各サブピクセルに対応して設けられている。また、シリコン基板の最表面には光を反射させるアルミ層が形成されている。そして、透明電極が形成されたガラス基板との間に介在する液晶層を電気的に駆動して映像を表示させることができる。不図示の駆動回路から入力される映像信号のレベルに基づいてライトバルブ６４の各画素に設けられた電極への電圧の印加を制御することにより、映像信号のレベルに応じてライトバルブ６４の各電極に電圧が印加されると、液晶層の液晶分子の配列が変化してこの液晶層が位相板の役目を果たすようになる。その結果、電圧印加状態に応じた映像パターンがライトバルブ６４に形成され、空間光変調が行われる。すなわち、ライトバルブ６４のガラス基板側から入射したＰ偏光成分の光は、シリコン基板側の反射面（アルミ層）で反射されて再びガラス基板から射出されるが、その間に白画素部に入射したＰ偏光成分の光は偏光方向が９０°回転されてＳ偏光成分の光に変調（偏光変換）される。一方、黒画素部に入射したＰ偏光成分の光は偏光状態が変化せず、Ｐ偏光成分のまま射出される。なお、ライトバルブ６４は、カラーフィルタを備えたカラー表示のＬＣＯＳを用いることで、カラー画像の表示が可能になる。
【００２７】
そして、このライトバルブ６４で反射した光は、再び偏光ビームスプリッタ６３に入射する。ここで、ライトバルブ６４の黒画素部を透過したＰ偏光成分の光のほとんどは、偏光分離面６３ａを透過して光源６１側へと戻る。一方、ライトバルブ６４の白画素部で変調されて射出されたＳ偏光成分の光は偏光分離面６３ａで反射した後この偏光ビームスプリッタ６３から射出され、投影レンズ６５によりファインダー光学系８に投影される。その結果、ライトバルブ６４に表示された画像がファインダー光学系８の結像面上に形成される。
【００２８】
このライトバルブ６４の画像は、ファインダー光学系８を介してペンタプリズム１４を透過し、メインミラー１０で反射されて撮影レンズ３により投影される。そのため、この撮影レンズ３の物体側焦点面にライトバルブ６４の画像が形成される。
【００２９】
なお、プロジェクタ部６０によるライトバルブ６４の画像の投影位置と、ファインダー光学系８の結像面との調整は、例えば、投影レンズ６５により行うことができる。また、この投影レンズ６５に変倍機能を持たせ、ファインダー光学系８に投影される画像の倍率を変化可能に構成することも可能である。
【００３０】
また、この投影装置５０は、第１筐体５１に対して、第２及び第３筐体５２，５３を、揺動軸５６を中心に上下方向に揺動可能に構成されている。そのため、この投影装置５０がカメラ本体２に取り付けられた状態でも、第２及び第３筐体５２，５３を上方に揺動させることにより、ファインダー光学系８を介して被写界を観察することができる。
【００３１】
図２は、本実施形態に係るカメラシステム１のブロック図である。カメラ本体ＣＰＵ２７により、このカメラシステム１の全体の制御が行われる。また、撮像基板２０は、撮像素子９を駆動する駆動回路２３、撮像素子９の出力をデジタル信号に変換するＡ／Ｄ変換回路２４、ＡＳＩＣで構成される画像処理制御回路２５および撮像素子９からの信号の高周波成分を抽出するコントラストＡＦ回路２６などを有している。
【００３２】
画像処理制御回路２５は、デジタル信号に変換された画像信号に対してホワイトバランス調整、シャープネス調整、ガンマ補正、階調調整などの画像処理を施すと共に、ＪＰＥＧなどの画像圧縮を行って画像ファイルを生成する。また、画像処理制御回路２５は、画像信号から各種収差判定を行い、撮影した画像の収差に関する情報をカメラ本体ＣＰＵ２７に出力する。例えば、倍率色収差が発生している場合、Ｒ，Ｇ，Ｂのそれぞれのエッジの位置がずれてしまう。この色毎のエッジのずれ量を検出することにより、倍率色収差量を検出することができる。
【００３３】
画像処理制御回路２５により生成された画像ファイルは、画像記録媒体３７に記憶される。この画像記録媒体３７は、カメラ本体２に対して着脱可能なフラッシュメモリなどの記録媒体であっても良いし、カメラ本体２に内蔵されるＳＳＤ(Solid State Drive)などの記録媒体であっても良い。
【００３４】
画像処理を施された画像信号は、背面モニタ制御回路２８の制御により、背面モニタ２１に表示される。この背面モニタ２１に撮影直後に撮影された画像信号を所定時間表示すれば、画像記録媒体３７に記録された画像ファイルに対応する画像をユーザに視認させることができる。また、撮像素子９が連続的に光電変換する被写界像を、画像記録媒体３７に記録することなく背面モニタ２１に逐次表示すればライブビュー表示を実現できる。さらに、撮像素子９が連続的に光電変換する被写界像を、例えばＭＰＥＧなどの動画圧縮処理を画像処理制御回路２５で施して画像記録媒体３７に記録すれば、動画撮影を実現することができる。このとき、マイク１７で収集した被写界の音声も圧縮処理して、動画データに同期させて記録する。生成される動画像のフレームレートは、例えば３０ｆｐｓなど、複数のフレームレートから選択されて設定される。
【００３５】
コントラストＡＦ回路２６は、撮像素子９からの撮像信号の高周波成分を抽出してＡＦ評価値信号を生成し、これが最大になるフォーカスレンズ位置を検出する。具体的には、画像処理制御回路２５から入力される画像信号から、バンドパスフィルタを用いて所定の高周波成分を抽出し、ピークホールド、積分等の検波処理を行ってＡＦ評価値信号を生成する。生成したＡＦ評価値信号は、カメラ本体ＣＰＵ２７に出力する。
【００３６】
レンズＣＰＵ７は、角速度センサ６で検出した手振れをキャンセルするように、撮影レンズ３内の防振レンズを光軸方向とは異なる方向に駆動して光学式手振れ補正を実現している。手振れ補正はこのような光学式手振れ補正に限らず、撮像素子９に駆動機構を付与して、光軸方向とは異なる方向に駆動して手振れをキャンセルする撮像素子駆動式手振れ補正を採用することもできる。さらには、画像処理制御回路２５から出力された複数枚の画像間の動きベクトルを算出し、算出した画像間の動きベクトルをキャンセルするように画像読み出し位置を制御して手振れをキャンセルする電子式手振れ補正を採用することもできる。光学式手振れ補正および撮像素子駆動式手振れ補正は特に静止画撮影に好適であり、動画撮影にも適用される。電子式手振れ補正は動画撮影に好適である。これらの方式は、選択的、追加的に採用され得る。
【００３７】
また、カメラ本体ＣＰＵ２７は、レンズＣＰＵ７と連携し、焦点検出センサ１１の出力に応じて撮影レンズ３を構成するフォーカスレンズの作動を制御することによりＡＦ動作を行う。さらに、カメラ本体ＣＰＵ２７は、撮影レンズ３を構成するズームレンズの状態（焦点距離）や、この撮影レンズ３自体の情報（例えば、広角レンズ、望遠レンズ、マクロレンズ等のレンズ種別）をレンズＣＰＵ７を介して取得することができる。
【００３８】
測光センサ１５は、上述のように、撮影レンズ３へ入射する光束を複数の領域ごとに測光することにより被写界の輝度分布を計測するが、計測結果はカメラ本体ＣＰＵ２７に出力する。カメラ本体ＣＰＵ２７では、選択された測光モードに応じて露出値を算出する。測光モードとしては、明るい部分と暗い部分のバランスを取る分割測光モード、画面中央を適正露出とする中央重点測光モード、選択したフォーカスポイントの狭領域を適正露出とするスポット測光モードなどが選択され得る。
【００３９】
フラッシュＲＯＭ２９は、ＥＥＰＲＯＭ（登録商標）であり、カメラシステム１を動作させるプログラムのほか、各種調整値、設定値を記憶する記憶装置である。また、ＲＡＭ３０は、フラッシュＲＯＭ２９に記憶されたプログラムが展開され、カメラ本体ＣＰＵ２７が高速にアクセスできるＤＲＡＭなどの高速ＲＡＭである。特に頻繁に参照される各種調整値、設定値などもフラッシュＲＯＭ２９からコピーされ、カメラ本体ＣＰＵ２７からのアクセスを容易にする。
【００４０】
背面モニタ制御回路２８は、上述のように画像処理された画像の他、フラッシュＲＯＭ２９から読み出したメニュー設定画面およびユーザガイド画面を背面モニタ２１へ表示する表示制御を行う。また、背面モニタ２１の表面にはタッチパネルセンサが積層されており、ユーザが背面モニタ２１のメニュー項目等を視認しつつタッチパネルセンサを操作したときには、その座標とその座標に対応して表示されていたメニュー項目をカメラ本体ＣＰＵ２７へ出力する。
【００４１】
レリーズＳＷ３２は、２段式のスイッチである。ユーザがレリーズＳＷ３２を半押しすると、オートフォーカス、測光などの撮影準備動作を行う。さらにユーザがレリーズＳＷ３２を全押しすると、カメラ本体ＣＰＵ２７は、静止画、動画の撮影動作を開始する。
【００４２】
通信部３１は、前述のように投影装置５０の投影側通信部５５と通信するものである。また、カメラ本体ＣＰＵ２７は、レンズＣＰＵ７および投影側ＣＰＵ５４と協働してカメラシステム１の全体を制御する。
【００４３】
投影装置５０が取付部４０に取り付けられると、投影側ＣＰＵ５４は、取付部４０から電力の供給を受けて作動するとともに、投影側通信部５５を介してカメラ本体ＣＰＵ２７と通信を行う。この投影側ＣＰＵ５４は、カメラ本体２の画像記録媒体３７に記憶されている画像ファイル（静止画及び動画）を読み出し、この画像ファイルの画像をライトバルブ６４を介してプロジェクタ部６０によりファインダー光学系８に投影するように構成されている。なお、画像記録媒体３７に記憶されている画像ファイルの選択は、例えば、投影側通信部５５を介して画像記録媒体３７に記録されている画像ファイルのリストを取得し、入出力部５９の表示装置に表示し、スイッチで選択させるように構成されている。
【００４４】
上述のように、投影装置５０により、ファインダー光学系８に投影されたライトバルブ６４の画像は、カメラ本体２に取り付けられた撮影レンズ３を介して投影されるように構成されている。このとき、カメラ本体ＣＰＵ２７は、レンズＣＰＵ７と連携し、焦点検出センサ１１の出力に応じて撮影レンズ３を構成するフォーカスレンズの作動を制御することによりＡＦ動作を行うため、例えば、壁等に投影する場合には、このカメラ本体ＣＰＵ２７のＡＦ動作により、投影しようとする壁に撮影レンズ３の焦点が合うことになる。そのため、投影装置５０の画像の焦点もこの壁に合わせることができ、鮮明な映像が投影されることになる。
【００４５】
また、投影装置５０からの光を効率良く投影するために、撮影レンズ３の絞り５は開放の状態にすることが好ましい。そのため、この絞り５の作動を、カメラ本体ＣＰＵ２７からレンズＣＰＵ７を介して制御できる場合には、投影側ＣＰＵ５４は、プロジェクタ部６０を介して画像を投影するときに、絞り５が開放するように自動的に調整するように構成されている。
【００４６】
また、撮影レンズ３の被写界の輝度分布は、測光センサ１５を介してカメラ本体ＣＰＵ２７で測定されている。そのため、投影側ＣＰＵ５４は、カメラ本体ＣＰＵ２７から被写界の輝度分布の情報を取得し、光源６１の光量を調整するように構成されている。例えば、被写界の輝度分布が明るいときは、光源６１の光量を大きくして、明るい画像を投影し、反対に被写界の輝度分布が暗いときは、光源６１の光量を小さくして電力消費を抑えるように制御する。同様に、投影側ＣＰＵ５４は、カメラ本体ＣＰＵ２７からホワイトバランスの情報を取得し、光源６１から放射される光の色温度を調整するように構成することもできる。また、投影側ＣＰＵ５４は、投影しようとする画像ファイルに含まれる属性情報（例えば、Ｅｘｉｆ情報）に基づいて、光源６１の光量や色温度を調整するように構成しても良い。
【００４７】
なお、以上の説明の投影装置５０は、カメラ本体ＣＰＵ２７との通信を、カメラ本体２の取付部４０を介して行うように構成した場合について説明したが、カメラ本体２に対する投影装置５０の接続機能（固定機能）及び投影装置５０に対する電力供給機能だけをこの取付部４０に持たせ、投影装置５０の投影側ＣＰＵ５４とカメラ本体ＣＰＵ２７との通信は、別の経路（例えば、カメラ本体２と投影装置５０とを繋ぐケーブル）により行うように構成することも可能である。また、この投影装置５０に電源を持たせることにより、カメラ本体２から電源供給を受けなくても作動させることができる。
【００４８】
以上のように、本実施形態に係る投影装置５０によると、画像を投影する機能を有しないカメラ本体２においても、このカメラ本体２に設けられた閃光装置等の外部機器を接続するための取付部（アクセサリーシューまたはホットシュー）４０にこの投影装置５０を取り付けることにより、画像記録媒体３７に記憶されている画像ファイルを簡単に投影することができるので、このカメラ本体２で撮影された画像を複数人数で確認することが容易になる。このとき、画像を投影するための光学系の一部をカメラ本体２に取り付けられた撮影レンズ３を用いるため、投影装置５０の光学系の構成を簡単にし、小型化・軽量化が可能となる。また、壁等の投影領域に対する焦点の調節や、投影領域の明るさ等をカメラ本体２の機能を用いて行うことができるため、投影装置５０の構成を簡単にすることもできる。
【００４９】
また、カメラ本体２の種類により、取付部４０とファインダー光学系８との相対位置が異なる場合があるが、第１筐体５１及び第２筐体５２を連結する第１連結部５７と、第２筐体５２及び第３筐体５３を連結する第２連結部５８とを伸縮させることにより、ファインダー光学系８とプロジェクタ部６０の光軸の調整を容易に行うことができる。なお、第１筐体５１に対して第２筐体５２を左右方向に相対移動可能に構成することにより、取付部４０とファインダー光学系８の左右方向の相対位置も調整することができる。
【００５０】
なお、以上の説明では、カメラ本体２に対して撮影レンズ３が交換可能なカメラシステム１について説明したが、本実施形態に係る投影装置５０は、カメラ本体２に対して撮影レンズ３が一体に取り付けられたカメラシステム１にも取り付けることが可能である。また同様に、本実施形態に係る投影装置５０は、メインミラー１０を有しないカメラシステム１に取り付けることも可能である。
【符号の説明】
【００５１】
１  カメラシステム    ２  カメラ本体（撮像装置３）    ３  撮影レンズ
８  ファインダー光学系    ４０  取付部    ５０  投影装置
５１ａ  接続部    ５４  投影側ＣＰＵ    ５５  投影側通信部
５７  第１連結部（調整機構）    ５８  第２連結部（調整機構）
６０  プロジェクタ部
【図１】
2012208328.tif 000003
【図２】
2012208328.tif 000004